(57)【要約】      （修正有）【課題】カメラの三脚の撮影角度を固定する構造を提供する。【解決手段】カメラの撮影角度を制御する雲台３機構が３本の脚管５のうちの１本の脚管５上に設置され、使用者が脚管５を回転させると、防滑棒８が、一体結合している防滑スリーブ９と共に動き、雲台３下方の円球３１を抵接して定位する。反対方向に脚管５を緩める時、防滑スリーブ９は円球３１から離れ、雲台３は自由に可動して、撮影角度を調整することができる。【選択図】図２
0003152495.tif 000002
【実用新案登録請求の範囲】
【請求項１】
カメラの三脚の撮影角度を固定する構造であって、前殻、後殻、雲台、二回転軸、三脚管、三スリーブ、及び、三脚パッドからなり、前記前後殻は対称で、ねじにより鎖固され、前記雲台は前記前後殻の上端に位置し、底端は円球を有して、前記前後殻内に設置し、前記二回転軸の頂端はそれぞれ、前記前後殻内に設置され、底端はそれぞれ、前記脚管内に挿入され、前記脚管は前記回転軸を枢軸として回転し、前記三脚管底端はそれぞれスリーブを接続し、前記スリーブ底端は脚パッドを設置し、その特徴は、
一脚管頂端は防滑棒を接続し、前記防滑棒頂端の螺棒上にナットを有し、前記ナットは前記前後殻の対称なスロット内で固定され、前記防滑棒の螺棒は防滑スリーブを接続し、前記防滑棒と前記防滑スリーブが一体に結合され、前記脚管を回転させるとき、前記防滑棒を上に回転させ、前記螺棒は前記防滑スリーブを上に動かして円球に抵接させて、前記雲台を定位し、また、前記脚管を反対方向に緩めると、前記防滑棒を下向けに旋転させ、前記円球が前記防滑スリーブに抵接しないので、前記雲台は自由に動いて角度を調整することができることを特徴とするカメラの三脚の撮影角度を固定する構造。
【請求項２】
前記防滑スリーブ内に定位孔を有し、前記防滑棒の螺棒は前記防滑スリーブの定位孔内で連接されて、前記防滑スリーブと前記防滑棒が一体に結合することを特徴とする請求項１に記載のカメラの三脚の撮影角度を固定する構造。  
【請求項３】
前記雲台上方の螺栓上にリングを設置して、キーホルダーを形成することを特徴とする請求項１に記載のカメラの三脚の撮影角度を固定する構造。
【考案の詳細な説明】
【技術分野】
【０００１】
本考案は、カメラの三脚構造の撮影角度を固定する構造に関するものであって、特に、小型のカメラ三脚で、三脚の一脚管上に設置し、雲台の定位と可動を制御する三脚構造に関するものである。
【背景技術】
【０００２】
公知のカメラの三脚は種類が多く、例えば、図６で示されるように、主に、架体１００下方に屈折する三つの脚１０１を有し、架体１００上方は雲台１０２を設置する。雲台１０２上には更に螺栓１０２１を設置し、螺栓１０２１はカメラ底部に鎖固されて、カメラを架設する。雲台１０２は位置を調整して、カメラの撮影角度を変更することができる。現在、販売されている三脚は雲台１０２を固定するため、ボルト３００を増設しており、ボルト３００が雲台１０２下端で連結すると、雲台１０２は固定されて動かなくなる。ボルト３００を緩めると、雲台１０２は自由に位置を調整できる。公知の三脚はどれもボルト３００を設置するので、部品コストと製造コストが高く、また、ボルト３００は突出しているので、外観に影響するだけでなく、服などに引っかかって三脚が倒れ、カメラを損壊する可能性もある。
【考案の概要】
【考案が解決しようとする課題】
【０００３】
本考案は、カメラの三脚の撮影角度を固定する構造を提供し、上述の問題を解決することを目的とする。
【課題を解決するための手段】
【０００４】
本考案のカメラの三脚の撮影角度を固定する構造は、三脚の一脚管だけ旋転させるだけで、カメラの撮影角度を調整する雲台の締めと緩めが可能で、本考案はボルトを設置しないので、外観に影響せず、材料、製造コストを節約し、また、ボルトが服にひっかかってカメラを倒す恐れもない。
更に、本考案のカメラの三脚の撮影角度を固定する構造は、突出したボルトを設置しないので、体積を縮小し、脚架が小型になると共に、雲台の螺栓上にリングを鎖固して、携帯できるキーホルダーを形成することができる。
【考案の効果】
【０００５】
本考案のカメラの三脚の撮影角度を固定する構造は、一脚管だけ旋転させるだけで、カメラの撮影角度を調整する雲台の締めと緩めが可能で、ボルトを設置しないので、外観に影響せず、材料、製造コストを節約し、また、ボルトが服にひっかかってカメラを倒す恐れもない。
【図面の簡単な説明】
【０００６】
【図１】本考案の外観図である。
【図２】本考案の分解図である。
【図３】本考案の実施例の前視図である。
【図４】本考案の断面図（雲台が緩む時）である。
【図５】本考案のもう一つの断面図（雲台が締まる時）である。
【図６】公知の外観図である。
【考案を実施するための形態】
【０００７】
以下、添付図面を参照して本考案の実施の形態を詳細に説明する。
【実施例１】
【０００８】
図１と図２で示されるように、本考案の三脚構造は、前殻１、後殻２、雲台３、二回転軸４、三脚管５、三スリーブ６、及び、三脚パッド７等の素子を組み合わせてなる。前後殻１、２は対称で、二ねじ２１により鎖固される。雲台３は前後殻１、２の上端に位置し、底端は円球３１を有して、前後殻１、２内に設置し、上方の螺栓３２はカメラ底部の螺孔内に設置される。二回転軸４の頂端はそれぞれ、前後殻１、２内に設置され、底端はそれぞれ、脚管５内に挿入され、これにより、脚管５はそれぞれ、回転軸４を枢軸として回転する。脚管５内にそれぞれ伸縮管５１を有し、平時は、伸縮管５１が脚管５内で縮入しており、三脚の位置を高くしたい時、伸縮管５１を引き出す。三脚管５の底端はそれぞれ、スリーブ６を接続し、スリーブ６底端は脚パッド７を設置する。
【０００９】
一脚管５頂端は防滑棒８を接続し、防滑棒８頂端の螺棒８１上はナット８２を有する。図４で示されるように、ナット８２は前後殻１、２の対称なスロット１１内で固定され、防滑棒８上方の螺棒８１は防滑スリーブ９の定位孔９１と接続し、防滑棒８と防滑スリーブ９が一体に結合される。防滑スリーブ９上方は弧形で、雲台３の円球３１下端に設置される。平時、防滑スリーブ９は円球３１に密合していないので、雲台３は可動する。図５のように、使用者が脚管５を回転させるとき、防滑棒８を上に回転させ、この時、螺棒８１は防滑スリーブ９を上に動かして円球３１に抵接し、雲台３が動かなくなって定位する。カメラの撮影角度を調整したい時、脚管５を反対方向に緩めると、防滑棒８を下向けに旋転させ、この時、螺棒８１は防滑スリーブ９を下に移動させ、円球３１が防滑スリーブ９に抵接しないので、雲台３は自由に動いて角度を調整することができる。
【００１０】
また、本考案の雲台３上に螺栓３２を有し、平時、螺栓３２はカメラ底部に鎖固する。図３のように、螺栓３２上にリング１０を設置して、携帯できるキーホルダーを形成することができる。
【００１１】
上述のように、本考案はカメラ専用の三脚の雲台（カメラの撮影角度）を締めたり緩めたりするのを制御する構造は三脚中の一脚管なので、ボルトが不要で、三脚の外観に影響せず、また、材料、製造コストを節約し、更に、携帯用のキーホルダを形成することができる。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１３】
１        前殻
１１      スロット
２        外殻
２１      ねじ
３        雲台
３１      円球
３２      螺栓
４        回転軸
５        脚管
５１      伸縮管
６        スリーブ
７        脚パッド
８        防滑棒
８１      螺棒
８２      ナット
９        防滑スリーブ
９１      定位孔
１０      リング
１００    架体
１０１    脚架
１０２    雲台
１０２１  螺栓
３００    ボルト
【図１】
0003152495.tif 000003
【図２】
0003152495.tif 000004
【図３】
0003152495.tif 000005
【図４】
0003152495.tif 000006
【図５】
0003152495.tif 000007
【図６】
0003152495.tif 000008
【手続補正書】
【提出日】平成21年6月2日(2009.6.2)
【手続補正１】
【補正対象書類名】明細書
【補正対象項目名】全文
【補正方法】変更
【補正の内容】
【考案の詳細な説明】
【技術分野】
【０００１】  本考案は、カメラの三脚構造の撮影角度を固定する構造に関するものであって、特に、小型のカメラ三脚で、三脚の３本の脚管のうちの１本の脚管上に雲台を設置し、該雲台の定位と可動を制御する三脚構造に関するものである。
【背景技術】
【０００２】  公知のカメラの三脚は種類が多く、例えば、図６で示されるように、主に、架体１００下方に屈折する三つの脚１０１を有し、架体１００上方は雲台１０２を設置する。雲台１０２上には更に螺栓１０２１を設置し、螺栓１０２１はカメラ底部に鎖固されて、カメラを架設する。雲台１０２は位置を調整して、カメラの撮影角度を変更することができる。現在、販売されている三脚は雲台１０２を固定するため、ボルト３００を増設しており、ボルト３００が雲台１０２下端で連結すると、雲台１０２は固定されて動かなくなる。ボルト３００を緩めると、雲台１０２は自由に位置を調整できる。公知の三脚はどれもボルト３００を設置するので、部品コストと製造コストが高く、また、ボルト３００は突出しているので、外観に影響するだけでなく、服などに引っかかって三脚が倒れ、カメラを損壊する可能性もある。
【考案の概要】
【考案が解決しようとする課題】
【０００３】本考案は、カメラの三脚の撮影角度を固定する構造を提供し、上述の問題を解決することを目的とする。
【課題を解決するための手段】
【０００４】本考案のカメラの三脚の撮影角度を固定する構造は、三脚の３本の脚管のうち１本の脚管だけ旋転させるだけで、カメラの撮影角度を調整する雲台の締めと緩めが可能で、本考案はボルトを設置しないので、外観に影響せず、材料、製造コストを節約し、また、ボルトが服にひっかかってカメラを倒す恐れもない。更に、本考案のカメラの三脚の撮影角度を固定する構造は、突出したボルトを設置しないので、体積を縮小し、脚架が小型になると共に、雲台の螺栓上にリングを鎖固して、携帯できるキーホルダーを形成することができる。
【考案の効果】
【０００５】  本考案のカメラの三脚の撮影角度を固定する構造は、１本の脚管だけ旋転させるだけで、カメラの撮影角度を調整する雲台の締めと緩めが可能で、ボルトを設置しないので、外観に影響せず、材料、製造コストを節約し、また、ボルトが服にひっかかってカメラを倒す恐れもない。
【図面の簡単な説明】
【０００６】
【図１】本考案の外観図である。
【図２】本考案の分解図である。
【図３】本考案の実施例の前視図である。
【図４】本考案の断面図（雲台が緩む時）である。
【図５】本考案のもう一つの断面図（雲台が締まる時）である。
【図６】公知の外観図である。
【考案を実施するための形態】
【０００７】以下、添付図面を参照して本考案の実施の形態を詳細に説明する。
【実施例１】
【０００８】  図１と図２で示されるように、本考案の三脚構造は、前殻１、後殻２、雲台３、２つの回転軸４、３本の脚管５、３つのスリーブ６、及び、３つの脚パッド７等の素子を組み合わせてなる。前後殻１、２は対称で、２つのねじ２１により鎖固される。雲台３は前後殻１、２の上端に位置し、底端は円球３１を有して、前後殻１、２内に設置し、上方の螺栓３２はカメラ底部の螺孔内に設置される。２つの回転軸４の頂端はそれぞれ、前後殻１、２内に設置され、底端はそれぞれ、脚管５内に挿入され、これにより、脚管５はそれぞれ、回転軸４を枢軸として回転する。脚管５内にそれぞれ伸縮管５１を有し、平時は、伸縮管５１が脚管５内で縮入しており、三脚の位置を高くしたい時、伸縮管５１を引き出す。３本の脚管５の底端はそれぞれ、スリーブ６を接続し、スリーブ６底端は脚パッド７を設置する。【０００９】 ３本の脚管５のうちの１本の脚管５の頂端には防滑棒８を接続し、防滑棒８の頂端の螺棒８１上はナット８２を有する。図４で示されるように、ナット８２は前後殻１、２の対称なスロット１１内で固定され、防滑棒８上方の螺棒８１は防滑スリーブ９の定位孔９１と接続し、防滑棒８と防滑スリーブ９が一体に結合される。防滑スリーブ９上方は弧形で、雲台３の円球３１下端に設置される。平時、防滑スリーブ９は円球３１に密合していないので、雲台３は可動する。図５のように、使用者が脚管５を回転させるとき、防滑棒８を上に回転させ、この時、螺棒８１は防滑スリーブ９を上に動かして円球３１に抵接し、雲台３が動かなくなって定位する。カメラの撮影角度を調整したい時、脚管５を反対方向に緩めると、防滑棒８を下向けに旋転させ、この時、螺棒８１は防滑スリーブ９を下に移動させ、円球３１が防滑スリーブ９に抵接しないので、雲台３は自由に動いて角度を調整することができる。【００１０】  また、本考案の雲台３上に螺栓３２を有し、平時、螺栓３２はカメラ底部に鎖固する。図３のように、螺栓３２上にリング１０を設置して、携帯できるキーホルダーを形成することができる。【００１１】上述のように、本考案はカメラ専用の三脚の雲台（カメラの撮影角度）を締めたり緩めたりするのを制御する構造は、３本の脚管のうちの１本の脚管なので、ボルトが不要で、三脚の外観に影響せず、また、材料、製造コストを節約し、更に、携帯用のキーホルダを形成することができる。【００１２】本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１３】１        前殻１１      スロット２        外殻２１      ねじ３        雲台３１      円球３２      螺栓４        回転軸５        脚管５１      伸縮管６        スリーブ７        脚パッド８        防滑棒８１      螺棒８２      ナット９        防滑スリーブ９１      定位孔１０      リング１００    架体１０１    脚架１０２    雲台１０２１  螺栓３００    ボルト
【手続補正２】
【補正対象書類名】実用新案登録請求の範囲
【補正対象項目名】全文
【補正方法】変更
【補正の内容】
【実用新案登録請求の範囲】
【請求項１】
カメラの三脚の撮影角度を固定する構造であって、前殻、後殻、雲台、２つの回転軸、３本の脚管、３つのスリーブ、及び、３つの脚パッドからなり、前記前後殻は対称で、ねじにより鎖固され、前記雲台は前記前後殻の上端に位置し、底端は円球を有して、前記前後殻内に設置し、前記２つの回転軸の頂端はそれぞれ、前記前後殻内に設置され、底端はそれぞれ、前記脚管内に挿入され、前記脚管は前記回転軸を枢軸として回転し、前記３つの脚管の底端はそれぞれスリーブを接続し、前記スリーブ底端は脚パッドを設置し、その特徴は、 ３本の脚管のうちの１本の脚管の頂端は防滑棒を接続し、前記防滑棒頂端の螺棒上にナットを有し、前記ナットは前記前後殻の対称なスロット内で固定され、前記防滑棒の螺棒は防滑スリーブを接続し、前記防滑棒と前記防滑スリーブが一体に結合され、前記脚管を回転させるとき、前記防滑棒を上に回転させ、前記螺棒は前記防滑スリーブを上に動かして円球に抵接させて、前記雲台を定位し、また、前記脚管を反対方向に緩めると、前記防滑棒を下向けに旋転させ、前記円球が前記防滑スリーブに抵接しないので、前記雲台は自由に動いて角度を調整することができることを特徴とするカメラの三脚の撮影角度を固定する構造。
【請求項２】
前記防滑スリーブ内に定位孔を有し、前記防滑棒の螺棒は前記防滑スリーブの定位孔内で連接されて、前記防滑スリーブと前記防滑棒が一体に結合することを特徴とする請求項１に記載のカメラの三脚の撮影角度を固定する構造。  
【請求項３】
前記雲台上方の螺栓上にリングを設置して、キーホルダーを形成することを特徴とする請求項１に記載のカメラの三脚の撮影角度を固定する構造。